(57)【要約】      （修正有）【課題】カラムオーブンの熱が検出器に及ぼす影響を低減する。【解決手段】ガスクロマトグラフは、分離カラム４と、カラムオーブン２と、カラムオーブンの外面を覆う断熱材１０と、その断熱材の外側を覆う板金１２と、検出部８ａが板金の外側に配置され、検出部に通じる流路部分８ｂが板金、断熱材及びカラムオーブンの上面を貫通して分離カラムに接続された検出器８と、カラムオーブンの少なくとも上面側における板金と断熱材との間に介在し、板金の内側から外側への流体の移動を遮断する外側シール部材１４と、を備えている。【選択図】図１
2018155568.tif 000002
【特許請求の範囲】
【請求項１】
分離カラムと、
前記分離カラムを内部に収容してその分離カラムの温度を調節するように構成されたカラムオーブンと、
前記カラムオーブンの外面を覆う断熱材と、
前記断熱材の外側を覆う板金と、
検出部が前記板金の外側に配置され、前記検出部に通じる流路部分が前記板金、前記断熱材及び前記カラムオーブンの上面を貫通して前記分離カラムに接続された検出器と、
前記カラムオーブンの少なくとも前記上面側における前記板金と前記断熱材との間に介在し、前記板金の内側から外側への流体の移動を遮断する外側シール部材と、を備えたガスクロマトグラフ。
【請求項２】
前記カラムオーブンと前記断熱材との間に介在して前記筐体の内側から外側への流体の移動を遮断する内側シール部材をさらに備えている請求項１に記載のガスクロマトグラフ。
【請求項３】
前記外側シール部材は薄膜状の部材である請求項１又は２に記載のガスクロマトグラフ。
【請求項４】
前記外側シール部材はアルミニウムシート又はステンレスシートである請求項３に記載のガスクロマトグラフ。
【発明の詳細な説明】
【技術分野】
【０００１】
本発明は、試料を気化した後で分離カラムに導いて成分ごとに分離し、分離された各試料成分を検出器により検出するガスクロマトグラフに関する。
【背景技術】
【０００２】
ガスクロマトグラフは、分離カラムの一端に試料気化部、他端に検出器が接続されて構成されている。試料気化部は、注入された試料を気化させて得られた試料ガスをキャリアガスによって分離カラムへ導入するものである。分離カラムに導入された試料ガスは成分ごとに時間的に分離され、各試料成分が検出器によって検出される。
【０００３】
分離カラムはカラムオーブン内に収容されて温度制御がなされる。試料気化部や検出器は、カラムオーブンの上面などに取り付けられてカラムオーブンと一体化されている。カラムオーブンは断熱材で覆われており、カラムオーブンの内側と外側とが熱的に遮断されている（例えば、特許文献１参照。）。
【０００４】
また、検出器の検出感度も温度依存性が高く、検出器温度が変動すると検出感度が乱れて分析結果の再現性を悪化させる。そのため、試料成分の検出を行なう検出器の検出部はカラムオーブンの外側に配置され、カラムオーブンから独立して温度制御がなされるように構成されている。
【先行技術文献】
【特許文献】
【０００５】
【特許文献１】特公平７−１８８５０号公報
【発明の概要】
【発明が解決しようとする課題】
【０００６】
上記のように、ガスクロマトグラフでは、カラムオーブン内の熱による影響が検出器に及ばないように、カラムオーブンを断熱材で覆ってカラムオーブンの内側と外側を熱的に遮断し、検出器の検出部を断熱材の外側に配置している。この構造によって、これまでの測定レンジでは特段の問題が生じていなかったのであるが、検出器の感度をさらに向上させようとしたときに、検出器の検出信号がカラムオーブン内の熱の影響を受けてドリフトするという問題が発生することがわかった。
【０００７】
カラムオーブンは断熱材で覆われており、さらにその断熱材の周囲は板金によって囲われているが、断熱材を囲っている板金は完全な気密性をもっているわけではない。例えば板金の継ぎ目など、板金には内部の気体が外部へ漏れ出るような隙間が存在する。さらに、カラムオーブンに追加部品を取り付けるための穴を増設した場合には、内部の気体が外部へ漏れ出るような隙間がさらに増えることになる。
【０００８】
断熱材の周囲を囲う板金にそのような隙間が存在していたとしても、カラムオーブンの周囲が断熱材で覆われているため、カラムオーブンからの熱が断熱材の外側に配置された検出器の検出部にまで到達して検出感度に影響を与えることはないはずである。しかし、実際には、検出器の検出感度がカラムオーブンからの熱の影響を受け、検出信号のドリフトが起こるということがわかった。
【０００９】
そこで、本発明は、カラムオーブンの熱が検出器に及ぼす影響を低減することを目的とするものである。
【課題を解決するための手段】
【００１０】
本発明者らは、上記の問題は、カラムオーブンの内外を熱的に遮断する断熱材の素材は通気性を有するウール状のものであるため、カラムオーブンから漏れ出した気体やカラムオーブンからの熱を受けた気体が断熱材の内部を通り、断熱材の外側の板金の隙間から外部へ漏れ出すことによって起こるという知見を得た。本発明はこのような知見に基づいてなされたものである。
【００１１】
本発明に係るガスクロマトグラフは、分離カラムと、前記分離カラムを内部に収容してその分離カラムの温度を調節するように構成されたカラムオーブンと、前記カラムオーブンの外面を覆う断熱材と、前記断熱材の外側を覆う板金と、検出部が前記板金の外側に配置され、前記検出部に通じる流路部分が前記板金、前記断熱材及び前記カラムオーブンの上面を貫通して前記分離カラムに接続された検出器と、前記カラムオーブンの少なくとも前記上面側における前記板金と前記断熱材との間に介在し、前記板金の内側から外側への流体の移動を遮断する外側シール部材と、を備えている。外側シール部材の存在により、カラムオーブンからの熱が断熱材の外側を囲っている板金の上面側から漏れ出ることが抑制される。
【００１２】
本発明の好ましい実施形態は、前記カラムオーブンと前記断熱材との間に介在して前記筐体の内側から外側への流体の移動を遮断する内側シール部材をさらに備えているものである。内側シール部材を設けることで、カラムオーブンから高温の気体が漏れ出ることが抑制されるので、カラムオーブンの熱が検出器の検出部へさらに到達しにくくなり、検出器に対するカラムオーブン内の熱の影響がさらに小さくなる。さらに、カラムオーブンからの熱の流出が抑制されるため、カラムオーブンの温度制御の精度も向上する。
【００１３】
前記外側シール部材は薄膜状の部材であることが好ましい。薄膜状の部材は加工が容易であるため取り扱いやすく、外側シール部材を安価に実現することができる。
【００１４】
そのような薄膜状の部材として、アルミニウムシートやステンレスシートが挙げられる。
【発明の効果】
【００１５】
本発明に係るガスクロマトグラフでは、カラムオーブンの少なくとも上面側における板金と断熱材との間に、板金の内側から外側への流体の移動を遮断する外側シール部材が設けられているので、カラムオーブンからの熱を受けた高温気体が、カラムオーブンの上面側に設けられた検出器の検出部まで到達することが抑制され、カラムオーブンの熱が検出器へ及ぼす影響が小さくなる。これにより、検出器の感度を向上させても、カラムオーブン内の熱の影響による検出信号のドリフトの発生を抑制することができる。
【図面の簡単な説明】
【００１６】
【図１】ガスクロマトグラフの一実施例を示す概略断面構成図である。
【図２】ガスクロマトグラフの他の実施例を示す概略断面構成図である。
【発明を実施するための形態】
【００１７】
ガスクロマトグラフの一実施例について、図面を参照しながら説明する。
【００１８】
ガスクロマトグラフは、分離カラム４がカラムオーブン２の内部に収容されており、分離カラム４の一端に試料気化部６が接続され、分離カラム４の他端に検出器８が接続されている。図示は省略されているが、カラムオーブン２はヒータや温度センサを備えており、内部の温度を設定された温度に調節するように構成されている。
【００１９】
カラムオーブン２の周囲には、例えばグラスウール、セラミックウール、ロックウール、石膏ボードからなる断熱材１０が設けられている。すなわち、カラムオーブン２の外周面は断熱材１０によって囲われており、カラムオーブン２の内側と外側とが熱的に遮断されている。
【００２０】
カラムオーブン２の周囲を囲っている断熱材１０の外周面は例えばスチール、ステンレス、アルミニウムなどからなる板金１２によって覆われている。試料気化部６と検出器８はカラムオーブン２の上面側において板金１２に取り付けられている。試料気化部６と検出器８はそれぞれ、板金１２、断熱材１０及びカラムオーブン２の天板を貫通し、カラムオーブン２の内部において分離カラム４と接続されている。
【００２１】
ガスクロマトグラフでは、試料気化部６に注入された試料が試料気化部６内において気化されて試料ガスとなり、試料気化部６に供給されるキャリアガスによって分離カラム４へ搬送される。試料ガスは分離カラム４において成分ごとに時間的に分離され、検出器８の検出部８ａへ導かれて検出される。
【００２２】
検出器８の検出感度は温度依存性を有するため、検出器８の検出部８ａの温度がカラムオーブン２からの熱の影響を受けて変動しないように、検出部８ａは板金１２の外側に配置されてカラムオーブン２から独立して温度調節がなされるようになっている。検出器８のうち板金１２の内側へ挿入されているのは、検出部８ａへ通じる流路を内部に有する流路部８ｂである。
【００２３】
カラムオーブン２の上面側における断熱材１０と板金１２との間に薄膜状のシール部材１４（外側シール部材）が設けられている。シール部材１４はカラムオーブン２の上面側に設けられた板金１２に存在する隙間を封止して、板金１２の内側の気体が板金１２の上面側、すなわち検出器８の検出部８ａ側へ漏れ出ることを防止する。シール部材１４としては、例えばアルミニウムシートやステンレスシートなどを用いることができる。
【００２４】
板金１２に存在する「隙間」とは、試料気化部６や検出器８を貫通させるために板金１２に設けられた穴の隙間や、板金１２を構成している板材の接合部分の隙間などである。また、追加部品を取り付けるための穴が板金１２に設けられている場合には、そのような穴も「隙間」に該当する。このような「隙間」が存在すると、カラムオーブン２から漏れ出た高温の気体やカラムオーブン２からの熱を受けた気体が検出器８の検出部８ａ側へ漏れ出てしまうことになる。この実施例では、そのような「隙間」をシール部材１４によって封止しているので、カラムオーブン２の熱が検出器８の検出部８ａへ到達しにくくなっている。
【００２５】
この実施例では、カラムオーブン２の上面と断熱材１０との間にもシール部材１６（内側シール部材）が設けられている。シール部材１６はカラムオーブン２の筐体の隙間を封止して、カラムオーブン２の内部から外側への気体の移動を遮断する。シール部材１６としても、シール部材１４と同様に、アルミニウムシートやステンレスシートを用いることができる。
【００２６】
シール部材１６が設けられていない場合、カラムオーブン２から漏れ出た高温の気体が断熱材１０を通って検出器８の流路部分８ｂに到達し得る。カラムオーブン２の上面側における断熱材１０と板金１２との間にシール部材１４が設けられているため、カラムオーブン２から高温の気体が流出しても、シール部材１４の存在によって、検出器８の検出部８ａが設けられている板金１２の上面側へ漏れ出ることはない。しかし、高温の気体は断熱材１０の内部を流れて板金１２の内側に挿入されている検出器８の流路部８ｂに接し、カラムオーブン２の熱が流路部８ｂを介して検出部８ａに伝わり、検出感度に影響を与えることになる。
【００２７】
この実施例では、検出器８の検出部８ａが設けられているカラムオーブン２の上面側において、カラムオーブン２の内部から高温の気体が漏れ出さないように、シール部材１６が設けられている。これにより、カラムオーブン２内の高温の気体が検出器８の流路部８ｂへも到達しにくくなり、検出器８に対するカラムオーブン２内の熱の影響がさらに小さくなる。
【００２８】
なお、上記の実施例ではシール部材１４及び１６をカラムオーブン２の上面側にのみ設けているが、本発明はこれに限定されるものではなく、図２に示されているように、カラムオーブン２の周囲を囲うようにシール部材１４及び１６を設けてもよい。また、シール部材１４と１６のいずれか一方のシール部材をカラムオーブン２の上面側にのみ設け、他方のシール部材を図２のようにカラムオーブン２の周囲を囲うように設けてもよい。特に、カラムオーブン２と断熱材１０との間のシール部材１６をカラムオーブン２の周囲を取り囲むように設けることで、カラムオーブン２からの熱漏れを大幅に低減することができるので、検出器８に対するカラムオーブン２の熱の影響をさらに小さくすることができる。カラムオーブン２からの熱漏れが低減されるので、カラムオーブン２内の温度制御の精度も向上する。
【符号の説明】
【００２９】
２      カラムオーブン
４      分離カラム
６      試料気化部
８      検出器
８ａ      検出部
８ｂ      流路部
１０      断熱材
１２      板金
１４      シール部材（外側シール部材）
１６      シール部材（内側シール部材
【図１】
2018155568.tif 000003
【図２】
2018155568.tif 000004